【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
容量センサとのタッチ決定を行う方法であって、
測定回路の入力と結合されている容量センサ電極の自己静電容量測定を開始し、同時に、前記容量センサ電極と、前記容量センサ電極に隣接する第２の電極とを含む相互静電容量測定が行われ、前記自己静電容量測定中に前記入力が高インピーダンス状態に設定された後、独立したパルスを前記測定回路の出力ポートによって発生させ、前記第２の電極を介して前記パルスを前記容量センサ電極に容量結合し、それによって前記相互静電容量測定を行う、方法。
【請求項２】
前記自己静電容量測定は、容量分圧器測定である、請求項１に記載の方法。
【請求項３】
前記自己静電容量測定は、充電時間測定である、請求項１に記載の方法。
【請求項４】
較正方法をさらに含み、前記較正方法は、タッチ決定を行う前に行われ、前記較正方法は、
個々の自己静電容量測定を行い、第１の測定値を記憶することと、
個々の相互静電容量測定を行い、第２の測定値を記憶することと、
スケーリング係数を前記第１および第２の測定値から計算することと
を含み、
前記タッチ決定を行う方法は、前記スケーリング係数を前記自己静電容量または前記相互静電容量測定に適用することを含む、請求項１に記載の方法。
【請求項５】
第１の自己静電容量および相互静電容量測定は、
前記測定回路の第１のコンデンサを第１のレベルに充電し、前記容量センサ電極によって形成されている第２のコンデンサを第２のレベルに充電することと、
前記入力が高インピーダンスに設定されている間に第１および第２のコンデンサを並列に結合し、パルスを前記第２のコンデンサと容量結合されている保護電極にフィードすることであって、前記パルスは、Ｉ／Ｏポートによって発生させられ、前記第１のレベルを有する、ことと、
安定化段階後、前記並列に結合された静電容量の第１の安定化させられた電圧レベルを決定することと
によって行われ、
その後、
前記第１のコンデンサを前記第２のレベルに充電し、前記第２のコンデンサを前記第１のレベルに充電することと、
前記入力が高インピーダンスに設定されている間に前記第１および第２のコンデンサを並列に結合することであって、前記パルスは、前記第１および第２のコンデンサの結合後、終了させられる、ことと、
安定化段階後、前記並列に結合された静電容量の第２の安定化させられた電圧レベルを決定することと
によって第２の自己静電容量および相互静電容量測定を行う、請求項１〜４のうちの１項に記載の方法。
【請求項６】
前記第１の電圧レベルは、所定の電圧ＶＤＤであり、前記第２の電圧レベルは、接地レベルＶＳＳである、請求項５に記載の方法。
【請求項７】
前記第２の電圧レベルは、所定の電圧ＶＤＤであり、前記第１の電圧レベルは、接地レベルＶＳＳである、請求項５に記載の方法。
【請求項８】
前記パルスは、ＶＤＤの電圧レベルを有し、前記パルスは、前記第１のコンデンサと前記第２のコンデンサとを並列に結合したときに開始する所定の期間の満了後、始まる、請求項５に記載の方法。
【請求項９】
容量センサとのタッチ決定を行うためのマイクロコントローラであって、前記マイクロコントローラは、相互静電容量測定と組み合わせた自己静電容量測定を行うように構成可能な容量測定ユニットを備え、前記容量測定ユニットは、制御ユニットを備え、前記制御ユニットは、前記容量測定ユニットの入力と結合されている容量センサ電極の自己静電容量測定を開始することであって、同時に、前記容量センサ電極と、前記容量センサ電極に隣接する第２の電極とを含む相互静電容量測定が行われ、前記容量測定ユニットは、前記自己静電容量測定中に前記入力を高インピーダンス状態に切り替えることと、独立したパルスを前記容量測定ユニットの出力ポートによって発生させることと、前記第２の電極を介して前記パルスを前記容量センサ電極に容量結合し、それによって前記相互静電容量測定を行うこととを行うように構成されている、ことを行うように動作可能である、マイクロコントローラ。
【請求項１０】
前記容量測定ユニットは、容量分圧器測定ユニットを備えている、請求項９に記載のマイクロコントローラ。
【請求項１１】
前記容量分圧器測定ユニットは、
外部ピンと、前記第１のコンデンサを形成するサンプルホールドコンデンサとの間に結合されている第１のスイッチユニットであって、前記第１のスイッチユニットは、前記第２のコンデンサを第１または第２の電圧レベルに充電すること、または外部接続されているコンデンサを前記サンプルホールドコンデンサと並列に切り替えることを行うように動作可能である、第１のスイッチユニットと、
前記サンプルホールドコンデンサと結合されている第２のスイッチユニットであって、前記第２のスイッチユニットは、前記サンプルホールドコンデンサを前記第１または第２の電圧レベルのいずれかに充電するように動作可能である、第２のスイッチユニットと、
前記並列に切り替えられたコンデンサと結合されるように動作可能なアナログ／デジタルコンバータと
を備え、
前記制御ユニットは、前記第１および第２のスイッチユニットを制御するように構成されている、請求項１０に記載のマイクロコントローラ。
【請求項１２】
出力ポートとして動作するように構成可能な入力／出力ポートと結合されている第２の外部ピンをさらに備え、前記制御ユニットは、前記独立したパルスを発生させるための前記出力ポートを制御するように構成されている、請求項１１に記載のマイクロコントローラ。
【請求項１３】
請求項１２に記載のマイクロコントローラを備えているシステムであって、前記システムは、前記第１の外部ピンを通して前記マイクロコントローラと接続されている前記容量センサ電極と、前記第２の外部ピンと接続されている、前記容量センサ電極に近接して配置されている遮蔽または保護電極とを備えている、システム。
【請求項１４】
前記容量測定ユニットは、充電時間測定ユニットを備え、前記制御ユニットは、前記充電時間測定ユニットを用いて自己静電容量測定を制御するように構成され、前記充電時間測定ユニットは、容量センサ電極と接続されるように適合されている第１の外部ピンと接続されている、請求項９に記載のマイクロコントローラ。
【請求項１５】
出力ポートとして動作するように構成可能な入力／出力ポートと結合されている第２の外部ピンをさらに備え、前記制御ユニットは、前記独立したパルスを発生させるための前記出力ポートを制御するように構成されている、請求項１４に記載のマイクロコントローラ。
【請求項１６】
請求項１５に記載のマイクロコントローラを備えているシステムであって、前記システムは、前記第１の外部ピンを通して前記マイクロコントローラと接続されている前記容量センサと、前記第２の外部ピンと接続されている、前記容量センサに近接して配置されている遮蔽または保護電極とを備えている、システム。
【請求項１７】
前記制御ユニットは、タッチ決定を行う前に較正を行うように構成され、前記制御ユニットは、
個々の自己静電容量測定を制御し、第１の測定値を記憶し、
個々の相互静電容量測定を制御し、第２の測定値を記憶し、
前記マイクロコントローラの前記制御ユニットまたはプロセッサは、スケーリング係数を前記第１および第２の測定値から計算するように構成され、
タッチ決定を行うために、前記制御ユニットは、前記スケーリング係数を前記自己静電容量または前記相互静電容量測定に適用するように構成されている、請求項９に記載のマイクロコントローラ。
【請求項１８】
前記スケーリング係数は、前記自己静電容量測定中の充電レベルまたは前記相互静電容量測定中の電圧レベルを変化させる、請求項１７に記載のマイクロコントローラ。
【手続補正２】
【補正対象書類名】明細書
【補正対象項目名】００１５
【補正方法】変更
【補正の内容】
【００１５】
さらに別の実施形態によると、容量センサとのタッチ決定を行う方法は、容量センサの自己静電容量測定を開始するステップを含み得、自己静電容量測定と相互静電容量測定とが、該容量センサに接近またはタッチする接地されていない伝導性物体では差動的に打ち消し合い、該容量センサに接近またはタッチする接地された物体に対して相加的に組み合わせるように、同時に、容量センサを含む相互静電容量測定が行われる。
本願明細書は、例えば、以下の項目も提供する。
（項目１）
容量センサとのタッチ決定を行う方法であって、
容量センサの自己静電容量測定を開始し、同時に、前記容量センサを含む相互静電容量測定が行われる、方法。
（項目２）
前記自己静電容量測定中、前記センサが高インピーダンス状態に設定された後、前記相互静電容量測定を行うために、パルスを前記容量センサに容量結合する、項目１に記載の方法。
（項目３）
遮蔽または保護電極が、容量結合を提供するために前記容量センサに近接して配置されている、項目２に記載の方法。
（項目４）
前記自己静電容量測定は、容量分圧器測定である、項目１に記載の方法。
（項目５）
前記自己静電容量測定は、充電時間測定である、項目１に記載の方法。
（項目６）
較正方法をさらに含み、前記較正方法は、タッチ決定を行う前に行われ、前記較正方法は、
個々の自己静電容量測定を行い、第１の測定値を記憶することと、
個々の相互静電容量測定を行い、第２の測定値を記憶することと、
スケーリング係数を前記第１および第２の測定値から計算することと
を含み、前記タッチ決定を行う方法は、前記スケーリング係数を前記自己静電容量または前記相互静電容量測定に適用することを含む、項目１に記載の方法。
（項目７）
容量センサとのタッチ決定を行う方法であって、
センサの第１のコンデンサを第１のレベルに充電し、第２のコンデンサを第２のレベルに充電することと、
前記センサが高インピーダンスに設定されている間に第１および第２のコンデンサを並列に結合し、パルスを前記センサと容量結合されている保護センサにフィードすることと、
安定化段階後、前記並列に結合された静電容量の第１の安定化させられた電圧レベルを決定することと、
その後、前記センサの前記第１のコンデンサを前記第２のレベルに充電し、前記第２のコンデンサを前記第１のレベルに充電することと、
前記センサが高インピーダンスに設定されている間に第１および第２のコンデンサを並列に組み合わせることであって、前記パルスは、前記第１および第２のコンデンサの結合後、終了させられる、ことと、
安定化段階後、前記並列に結合された静電容量の第２の安定化させられた電圧レベルを決定することと
を含む、方法。
（項目８）
前記第１のレベルは、所定の電圧ＶＤＤであり、前記第２の電圧レベルは、接地レベルＶＳＳである、項目７に記載の方法。
（項目９）
前記第２のレベルは、所定の電圧ＶＤＤであり、前記第１の電圧レベルは、接地レベルＶＳＳである、項目７に記載の方法。
（項目１０）
前記パルスは、ＶＤＤの電圧レベルを有し、前記パルスは、前記第１のコンデンサと前記第２のコンデンサとを並列に結合したときに開始する所定の期間の満了後、始まる、項目７に記載の方法。
（項目１１）
容量センサとのタッチ決定を行うためのマイクロコントローラであって、前記マイクロコントローラは、自己静電容量測定および相互静電容量測定を行うように構成可能な容量測定ユニットを備え、前記容量測定ユニットは、制御ユニットを備え、前記制御ユニットは、前記容量測定ユニットと結合されている容量センサの自己静電容量測定を開始するように動作可能であり、同時に、前記容量センサを含む相互静電容量測定が行われる、マイクロコントローラ。
（項目１２）
前記容量測定ユニットは、前記自己静電容量測定中、高インピーダンス状態に切り替わり、前記相互静電容量測定を行うために、パルスを前記容量センサに容量結合するように構成されている、項目１１に記載のマイクロコントローラ。
（項目１３）
項目１２に記載のマイクロコントローラを備えているシステムであって、前記システムは、第１のポートを通して前記マイクロコントローラと接続されている容量センサと、容量結合を提供するために前記容量センサに近接して配置されている遮蔽または保護電極とを備えている、システム。
（項目１４）
前記容量測定ユニットは、容量分圧器測定ユニットを備えている、項目１１に記載のマイクロコントローラ。
（項目１５）
前記容量分圧器測定ユニットは、
外部ピンとサンプルホールドコンデンサとの間に結合されている第１のスイッチユニットであって、前記第１のスイッチユニットは、外部接続されているコンデンサを第１または第２の電圧レベルに充電すること、または前記外部接続されているコンデンサを前記サンプルホールドコンデンサと並列に切り替えることを行うように動作可能である、第１のスイッチユニットと、
前記サンプルホールドコンデンサと結合されている第２のスイッチユニットであって、前記第２のスイッチユニットは、前記サンプルホールドコンデンサを前記第１または第２の電圧レベルのいずれかに充電するように動作可能である、第２のスイッチユニットと、
前記並列に切り替えられたコンデンサと結合されるように動作可能なアナログ／デジタルコンバータと
を備え、
前記制御ユニットは、前記第１および第２のスイッチユニットを制御するように構成されている、項目１４に記載のマイクロコントローラ。
（項目１６）
出力ポートとして動作するように構成可能な入力／出力ポートと結合されている第２の外部ピンをさらに備え、前記制御ユニットは、相互静電容量測定を行うための前記出力ポートを制御するように構成されている、項目１５に記載のマイクロコントローラ。
（項目１７）
項目１６に記載のマイクロコントローラを備えているシステムであって、前記システムは、前記第１の外部ピンを通して前記マイクロコントローラと接続されている容量センサと、前記第２の外部ピンと接続されている、前記容量センサに近接して配置されている遮蔽または保護電極とを備えている、システム。
（項目１８）
前記容量測定ユニットは、充電時間測定ユニットを備え、前記制御ユニットは、前記充電時間測定ユニットを用いて自己静電容量測定を制御するように構成され、前記充電時間測定ユニットは、容量センサと接続されることが可能な第１の外部ピンと接続されている、項目１１に記載のマイクロコントローラ。
（項目１９）
出力ポートとして動作するように構成可能な入力／出力ポートと結合されている第２の外部ピンをさらに備え、前記制御ユニットは、相互静電容量測定を行うための前記出力ポートを制御するように構成されている、項目１８に記載のマイクロコントローラ。
（項目２０）
項目１９に記載のマイクロコントローラを備えているシステムであって、前記システムは、前記第１の外部ピンを通して前記マイクロコントローラと接続されている容量センサと、前記第２の外部ピンと接続されている、前記容量センサに近接して配置されている遮蔽または保護電極とを備えている、システム。
（項目２１）
前記制御ユニットは、タッチ決定を行う前に較正を行うように構成され、前記制御ユニットは、
個々の自己静電容量測定を制御し、第１の測定値を記憶し、
個々の相互静電容量測定を制御し、第２の測定値を記憶し、
前記マイクロコントローラの前記制御ユニットまたはプロセッサは、スケーリング係数を前記第１および第２の測定値から計算するように構成され、
タッチ決定を行うために、前記制御ユニットは、前記スケーリング係数を前記自己静電容量または前記相互静電容量測定に適用するように構成されている、項目１１に記載のマイクロコントローラ。
（項目２２）
前記スケーリング係数は、前記自己静電容量測定中の充電レベルまたは前記相互静電容量測定中の電圧レベルを変化させる、項目２１に記載のマイクロコントローラ。
（項目２３）
容量センサとのタッチ決定を行う方法であって、
容量センサの自己静電容量測定を開始することと、
前記容量センサを含む相互静電容量測定を開始することと、
前記自己静電容量測定の出力値または前記相互静電容量測定の出力値のいずれかのスケーリングを行うことと、
前記自己静電容量測定の出力値と前記相互静電容量測定の出力値とを組み合わせることと
を含む、方法。
（項目２４）
前記出力値を組み合わせることは、前記出力値を加算することを含む、項目２３に記載の方法。
（項目２５）
遮蔽または保護電極が、容量結合を提供するために前記容量センサに近接して配置されている、項目２３に記載の方法。
（項目２６）
前記自己静電容量測定は、容量分圧器測定である、項目２３に記載の方法。
（項目２７）
前記自己静電容量測定は、充電時間測定である、項目２３に記載の方法。
（項目２８）
スケーリング係数を決定するための較正方法をさらに含み、前記較正方法は、タッチ決定を行う前に行われ、前記較正方法は、
個々の自己静電容量測定を行い、第１の測定値を記憶することと、
個々の相互静電容量測定を行い、第２の測定値を記憶することと、
スケーリング係数を前記第１および第２の測定値から計算することと
を含む、項目２３に記載の方法。
（項目２９）
容量センサとのタッチ決定を行う方法であって、前記方法は、容量センサの自己静電容量測定を開始することを含み、同時に、前記容量センサを含む相互静電容量測定が行われ、前記自己静電容量測定と前記相互静電容量測定とは、前記容量センサに接近またはタッチする接地されていない伝導性物体では差動的に打ち消し合い、前記容量センサに接近またはタッチする接地された物体に対して相加的に結合する、方法。